(57)【要約】【目的】兜鉢に重量感を持たせ兜鉢としての威厳を助長すると共に安定良く陳列することができる飾り兜の提供。【構成】上部半円形状体１０と、該上部半円形状体１０の下端縁１１の外側に取付けた環状の鉢付板体１２とにより半円形状の兜鉢１を形成し、且つ鉢付板体１２に眉庇部を取付けて兜鉢１の下方前面に眉庇部を設けると共に鉢付板体１２にしころ部を取付けて半円形状の兜鉢１の下方両面より下方後面に亘りしころ部を設け、更に眉庇部の両側でしころ部３両端より吹返部を設け、又更に眉庇部に鍬形台及び鍬形台に鍬形を分離着脱出来るように形成すると共に兜鉢１の裏より忍緒を露出した飾り兜に於いて半円形状の兜鉢１を形成した上部半円形状体１０の裏側部８に金属製の錘体９を取付けたことを特徴としている。【選択図】            図７
2004337470.tif 000002
【特許請求の範囲】
【請求項１】
上部半円形状体１０と、該上部半円形状体１０の下端縁１１の外側に取付けた環状の鉢付板体１２とにより半円形状の兜鉢１を形成し、且つ鉢付板体１２に眉庇部２を取付けて兜鉢１の下方前面に眉庇部２を設けると共に鉢付板体１２にしころ部３を取付けて半円形状の兜鉢１の下方両面より下方後面に亘りしころ部３を設け、更に眉庇部２の両側でしころ部３の両端より吹返部４，４を設け、又更に眉庇部２に鍬形台５及び鍬形台５に鍬形６を分離着脱出来るように形成すると共に兜鉢１の裏より忍緒７を露出した飾り兜に於いて半円形状の兜鉢１を形成した上部半円形状体１０の裏側部８に金属製の錘体９を取付けたことを特徴とする飾り兜。
【請求項２】
上部半円形状体１０と、該上部半円形状体１０の下端縁１１の外側に取付けた環状の鉢付板体１２とにより形成した半円形状の兜鉢１に於いて長手両側に上方に折曲した折曲突条１３，１３を備えた１枚の前梯形薄鉄板１４と１枚の後梯形薄鉄板１５と長手左側に上方に折曲した折曲突条１３を備えた数枚の左梯形薄鉄板１６と長手右側に上方に折曲した折曲突条１３を備えた数枚の右梯形薄鉄板１７を設け、且つ前梯形薄鉄板１４の長手両側の裏面の一方に数枚の左梯形薄鉄板１６を接ぎあわせ、他方に数枚の右梯形薄鉄板１７を接ぎあわせると共に後梯形薄鉄板１５の長手両側の表面に左梯形薄鉄板１６と右梯形薄鉄板１７とを接ぎあわせて夫々の折曲突条１３が放射状に表面に表れるようにして上部半円形状体１０を形成したことを特徴とする請求項１に記載の飾り兜。
【請求項３】
半円形状の兜鉢１を形成した夫々の折曲突条１３が放射状に表面に表れた上部半円形状体１０の裏側部８に取付けた金属製の錘体９はとかした金属を型に流しこんで作つ逆椀状の鋳物体１８で下方周縁に膨出環状部１９を形成したことを特徴とする請求項２に記載の飾り兜。
【請求項４】
半円形状の兜鉢１を形成した夫々の折曲突条１３が放射状に表面に表れた上部半円形状体１０の裏側部８に取付けた金属製の錘体９は上部半円形状体１０の下端縁１１の内側に金属製の環状体２０を取付けて形成したことを特徴とする請求項２に記載の飾り兜。
【請求項５】
半円形状の兜鉢１を形成した夫々の折曲突条１３が放射状に表面に表れた上部半円形状体１０の裏側部８に取付けた金属製の錘体９は上部半円形状体１０の下端縁１１の内側に金属製の数個の分割環状体２１を取付けて形成したことを特徴とする請求項２に記載の飾り兜。
【請求項６】
上部半円形状体１０と、該上部半円形状体１０の下端縁１１の外側に取付けた環状の鉢付板体１２とにより形成した半円形状の兜鉢１に於いて１枚の薄鉄板を半円形状に加工成形して上部半円形状体１０を形成したことを特徴とする請求項１に記載の飾り兜。
【請求項７】
半円形状の兜鉢１を形成した１枚の薄鉄板製による上部半円形状体１０の裏側部８に取付けた金属製の錘体９はとかした金属を型に流しこんで作つ逆椀状の鋳物体１８で下方周縁に膨出環状部１９を形成したことを特徴とする請求項６に記載の飾り兜。
【請求項８】
半円形状の兜鉢１を形成した１枚の薄鉄板製による上部半円形状体１０の裏側部８に取付けた金属製の錘体９は上部半円形状体１０の下端縁１１の内側に金属製の環状体２０を取付けて形成したことを特徴とする請求項６に記載の飾り兜。
【請求項９】
半円形状の兜鉢１を形成した１枚の薄鉄板製による上部半円形状体１０の裏側部８に取付けた金属製の錘体９は上部半円形状体１０の下端縁１１の内側に金属製の数個の分割環状体２１を取付けて形成したことを特徴とする請求項６に記載の飾り兜。
【発明の詳細な説明】
【０００１】
【産業上の利用分野】
この発明は、兜鉢に重量感を持たせ兜鉢としての威厳を助長すると共に安定良く陳列することができる飾り兜に関するものである。
【０００２】
【従来の技術】
従来子供の成長を願う為に櫃から飾り兜を出して櫃の上に載置した兜用芯木をふくさ布で被覆すると共にふくさ布で被覆した兜用芯木の上端に兜鉢の裏面上部を乗せて飾り兜を家庭内の床の間等で飾るようなことは普通に知られている。
【０００３】
又、図１７に図示したように上部半円形状体４０と、該上部半円形状体４０の下端縁４１の外側に取付けた環状の鉢付板体４２とにより半円形状の兜鉢４３を形成し、且つ１枚の薄鉄板を半円形状に加工成形して上部半円形状体４０を形成したものは知られている。
【０００４】
【発明が解決しようとする問題点】
ところで、図１７に図示した従来より知られている上部半円形状体４０と、該上部半円形状体４０の下端縁４１の外側に取付けた環状の鉢付板体４２とにより半円形状の兜鉢４３を形成し、且つ１枚の薄鉄板を半円形状に加工成形して上部半円形状体４０を形成したものは兜鉢に重量感がなく兜鉢としての威厳に乏しく、更に櫃から飾り兜を出して櫃の上に載置した兜用芯木２８をふくさ布で被覆すると共にふくさ布で被覆した兜用芯木の上端に兜鉢の裏面上部を乗せて陳列するに際して子供が飾り兜を陳列している家庭内の床の間等の近くで跳び撥ねて遊ぶための振動等によつて兜鉢が傾き、安定良く常時正しい方向を向いた状態で陳列することができない等の欠点があつた。
【０００５】
この発明は上記の問題点を解決したものであり、兜鉢に重量感を持たせ兜鉢としての威厳を助長すると共に、子供が飾り兜を陳列している家庭内の床の間等の近くで跳び撥ねて遊ぶための振動等によつて兜鉢が傾くようなことがなく、安定良く常時正しい方向を向いた状態で陳列することができるものであって、取付け方向が妄りに変化することがなく子供の成長を願う為に家庭内の床の間等に於いて飾るに好適な飾り兜を得ることを目的とするものである。
【０００６】
【問題点を解決するための手段】
上記の目的を達成するためのこの発明は、上部半円形状体１０と、該上部半円形状体１０の下端縁１１の外側に取付けた環状の鉢付板体１２とにより半円形状の兜鉢１を形成し、且つ鉢付板体１２に眉庇部２を取付けて兜鉢１の下方前面に眉庇部２を設けると共に鉢付板体１２にしころ部３を取付けて半円形状の兜鉢１の下方両面より下方後面に亘りしころ部３を設け、更に眉庇部２の両側でしころ部３の両端より吹返部４，４を設け、又更に眉庇部２に鍬形台５及び鍬形台５に鍬形６を分離着脱出来るように形成すると共に兜鉢１の裏より忍緒７を露出した飾り兜に於いて半円形状の兜鉢１を形成した上部半円形状体１０の裏側部８に金属製の錘体９を取付けたものである。
【０００７】
又、上部半円形状体１０と、該上部半円形状体１０の下端縁１１の外側に取付けた環状の鉢付板体１２とにより形成した半円形状の兜鉢１に於いて長手両側に上方に折曲した折曲突条１３，１３を備えた１枚の前梯形薄鉄板１４と１枚の後梯形薄鉄板１５と長手左側に上方に折曲した折曲突条１３を備えた数枚の左梯形薄鉄板１６と長手右側に上方に折曲した折曲突条１３を備えた数枚の右梯形薄鉄板１７を設け、且つ前梯形薄鉄板１４の長手両側の裏面の一方に数枚の左梯形薄鉄板１６を接ぎあわせ、他方に数枚の右梯形薄鉄板１７を接ぎあわせると共に後梯形薄鉄板１５の長手両側の表面に左梯形薄鉄板１６と右梯形薄鉄板１７とを接ぎあわせて夫々の折曲突条１３が放射状に表面に表れるようにして上部半円形状体１０を形成したものである。
【０００８】
又、半円形状の兜鉢１を形成した夫々の折曲突条１３が放射状に表面に表れた上部半円形状体１０の裏側部８に取付けた金属製の錘体９はとかした金属を型に流しこんで作つ逆椀状の鋳物体１８で下方周縁に膨出環状部１９を形成したものである。
【０００９】
又、半円形状の兜鉢１を形成した夫々の折曲突条１３が放射状に表面に表れた上部半円形状体１０の裏側部８に取付けた金属製の錘体９は上部半円形状体１０の下端縁１１の内側に金属製の環状体２０を取付けて形成したものである。
【００１０】
又、半円形状の兜鉢１を形成した夫々の折曲突条１３が放射状に表面に表れた上部半円形状体１０の裏側部８に取付けた金属製の錘体９は上部半円形状体１０の下端縁１１の内側に金属製の数個の分割環状体２１を取付けて形成したものである。
【００１１】
又、上部半円形状体１０と、該上部半円形状体１０の下端縁１１の外側に取付けた環状の鉢付板体１２とにより形成した半円形状の兜鉢１に於いて１枚の薄鉄板を半円形状に加工成形して上部半円形状体１０を形成したものである。
【００１２】
又、半円形状の兜鉢１を形成した１枚の薄鉄板製による上部半円形状体１０の裏側部８に取付けた金属製の錘体９はとかした金属を型に流しこんで作つ逆椀状の鋳物体１８で下方周縁に膨出環状部１９を形成したものである。
【００１３】
又、半円形状の兜鉢１を形成した１枚の薄鉄板製による上部半円形状体１０の裏側部８に取付けた金属製の錘体９は上部半円形状体１０の下端縁１１の内側に金属製の環状体２０を取付けて形成したものである。
【００１４】
又、半円形状の兜鉢１を形成した１枚の薄鉄板製による上部半円形状体１０の裏側部８に取付けた金属製の錘体９は上部半円形状体１０の下端縁１１の内側に金属製の数個の分割環状体２１を取付けて形成したものである。
【００１５】
【実施例】
以下図面についてこの発明の実施例を説明すると、上部半円形状体１０と、該上部半円形状体１０の下端縁１１の外側にビス止め又は接着剤等の第１固着部材具２２を介して取付けた環状の鉢付板体１２とにより半円形状の兜鉢１を形成し、且つ鉢付板体１２に眉庇部２を取付けて兜鉢１の下方前面に眉庇部２を設けると共に鉢付板体１２にしころ部３を取付けて半円形状の兜鉢１の下方両面より下方後面に亘りしころ部３を設け、更に眉庇部２の両側でしころ部３の両端より吹返部４，４を設け、又更に眉庇部２に鍬形台５及び鍬形台５に鍬形６を分離着脱出来るように形成すると共に兜鉢１の裏より忍緒７を露出した飾り兜に於いて半円形状の兜鉢１を形成した上部半円形状体１０の裏側部８に金属製の錘体９を取付けたものである。
【００１６】
又、上部半円形状体１０と、該上部半円形状体１０の下端縁１１の外側にビス止め又は接着剤等の第１固着部材２２を介して取付けた環状の鉢付板体１２とにより形成した半円形状の第１実施例に於ける兜鉢１に於いては長手両側に上方に折曲した折曲突条１３，１３を備えた１枚の前梯形薄鉄板１４と１枚の後梯形薄鉄板１５と長手左側に上方に折曲した折曲突条１３を備えた数枚の左梯形薄鉄板１６と長手右側に上方に折曲した折曲突条１３を備えた数枚の右梯形薄鉄板１７を設け、且つ前梯形薄鉄板１４の長手両側の裏面の一方に数枚の左梯形薄鉄板１６を順次接ぎあわせ、且又前梯形薄鉄板１４の長手両側の裏面の他方に数枚の右梯形薄鉄板１７を接ぎあわせると共に後梯形薄鉄板１５の長手両側の表面に左梯形薄鉄板１６と右梯形薄鉄板１７とを接ぎあわせて夫々の折曲突条１３が放射状に表面に表れるようにして上部半円形状体１０を形成したものである。
【００１７】
又、前梯形薄鉄板１４の長手両側の裏面の一方に数枚の左梯形薄鉄板１６を順次接ぎあわせ、且又前梯形薄鉄板１４の長手両側の裏面の他方に数枚の右梯形薄鉄板１７を接ぎあわせると共に後梯形薄鉄板１５の長手両側の表面に左梯形薄鉄板１６と右梯形薄鉄板１７とを接ぎあわせて夫々の折曲突条１３が放射状に表面に表れるようにして上部半円形状体１０を形成するに際しては図５に図示したように前梯形薄鉄板１４の長手両側に設けた折曲突条１３，１３と左梯形薄鉄板１６と右梯形薄鉄板１７との夫々に設けた折曲突条１３が放射状に表面に表れるようしてビス止め又は接着剤等の第２固着部材２３を介して接ぎあわせるものであり、且つ左梯形薄鉄板１６と右梯形薄鉄板１７とは幅を異にしたものを形成して接ぎあわせる左梯形薄鉄板１６と右梯形薄鉄板１７との接ぎあわせ枚数を変えることによって放射状に表面に表れる折曲突条１３の折曲突条数が異なる上部半円形状体１０を形成することができて兜鉢１に変化を持たせることができるものである。
【００１８】
又、上部半円形状体１０の形成に際しては頂部に八幡座２４を取付ける八幡座取付孔２５が形成され、且つ前梯形薄鉄板１４、左梯形薄鉄板１６、右梯形薄鉄板１７及び後梯形薄鉄板１５には星２６を取付ける星取付孔２７を形成したものである。
【００１９】
又、半円形状の第１実施例に於ける兜鉢１を形成した夫々の折曲突条１３が放射状に表面に表れた上部半円形状体１０の裏側部８に取付けた金属製の錘体９はとかした金属を型に流しこんで作つ逆椀状の鋳物体１８で下方周縁に膨出環状部１９を形成したものであり、上部半円形状体１０と鋳物体１８との取付けはビス止め又は接着剤等の第３固着部材３１を介して取付けたものである。
【００２０】
又、半円形状の第１実施例に於ける兜鉢１を形成した夫々の折曲突条１３が放射状に表面に表れた上部半円形状体１０の裏側部８に取付けた金属製の錘体９は上部半円形状体１０の下端縁１１の内側に金属製の環状体２０をビス止め又は接着剤等の第３固着部材３１を介して取付けて形成したものである。
【００２１】
又、半円形状の第１実施例に於ける兜鉢１を形成した夫々の折曲突条１３が放射状に表面に表れた上部半円形状体１０の裏側部８に取付けた金属製の錘体９は上部半円形状体１０の下端縁１１の内側に金属製の数個の分割環状体２１をビス止め又は接着剤等の第３固着部材３１を介して取付けて形成したものである。
【００２２】
又、上部半円形状体１０と、該上部半円形状体１０の下端縁１１の外側に取付けた環状の鉢付板体１２とにより形成した半円形状の第２実施例に於ける兜鉢１に於いては１枚の薄鉄板をプレス加工又はたたき加工等の手段で半円形状に加工成形して上部半円形状体１０を形成したものでありる。
【００２３】
又、半円形状の第２実施例に於ける兜鉢１を形成した１枚の薄鉄板製による上部半円形状体１０の裏側部８に取付けた金属製の錘体９はとかした金属を型に流しこんで作つ逆椀状の鋳物体１８で下方周縁に膨出環状部１９を形成したものであり、上部半円形状体１０と鋳物体１８との取付けはビス止め又は接着剤等の第４固着部材３２を介して取付けたものである。
【００２４】
又、半円形状の第２実施例に於ける兜鉢１を形成した１枚の薄鉄板製による上部半円形状体１０の裏側部８に取付けた金属製の錘体９は上部半円形状体１０の下端縁１１の内側に金属製の環状体２０をビス止め又は接着剤等の第４固着部材３２を介して取付けて形成したものである。
【００２５】
又、半円形状の第２実施例に於ける兜鉢１を形成した１枚の薄鉄板製による
上部半円形状体１０の裏側部８に取付けた金属製の錘体９は上部半円形状体１０の下端縁１１の内側に金属製の数個の分割環状体２１をビス止め又は接着剤等の第４固着部材３２を介して取付けて形成したものである。
【００２６】
又、上部半円形状体１０と、該上部半円形状体１０の下端縁１１の外側に取付けた環状の鉢付板体１２とにより形成した半円形状の兜鉢１には塗料を塗布して着色したものである。
【００２７】
又、図示していないが、兜鉢１の裏には布又は皮を付けて上部半円形状体１０の裏側部８に取付けた金属製の錘体９が見えないようにしたものである。
【００２８】
又、飾り兜は普段は櫃２９に収納しているが子供の成長を願う為に櫃２９から飾り兜を出して櫃２９の上に載置した兜用芯木２８をふくさ布３０で被覆すると共にふくさ布３０で被覆した兜用芯木２８の上端に兜鉢１の裏面上部を乗せて飾り兜を家庭内の床の間等で飾るものであり、櫃２９への収納時は鍬形台５と鍬形６とは分離し、陳列時は鍬形台５と鍬形６とは接合するものである。
【００２９】
【発明の作用効果】
この発明は上述のような構成であり、上部半円形状体１０と、該上部半円形状体１０の下端縁１１の外側に取付けた環状の鉢付板体１２とにより半円形状の兜鉢１を形成し、且つ鉢付板体１２に眉庇部２を取付けて兜鉢１の下方前面に眉庇部２を設けると共に鉢付板体１２にしころ部３を取付けて半円形状の兜鉢１の下方両面より下方後面に亘りしころ部３を設け、更に眉庇部２の両側でしころ部３の両端より吹返部４，４を設け、又更に眉庇部２に鍬形台５及び鍬形台５に鍬形６を分離着脱出来るように形成すると共に兜鉢１の裏より忍緒７を露出したことによって、その飾り兜を家庭内の床の間等に置いて知恵賢くて心広やかなもののふのように、子供が知性と仁徳と勇気をそなえて健やかに成長してほしい願いをこめて飾り、長期に亘り子供の成長を祈ることができるものである。
【００３０】
又、上部半円形状体１０と、該上部半円形状体１０の下端縁１１の外側に取付けた環状の鉢付板体１２とにより半円形状の兜鉢１を形成し、更に長手両側に上方に折曲した折曲突条１３，１３を備えた１枚の前梯形薄鉄板１４と１枚の後梯形薄鉄板１５と長手左側に上方に折曲した折曲突条１３を備えた数枚の左梯形薄鉄板１６と長手右側に上方に折曲した折曲突条１３を備えた数枚の右梯形薄鉄板１７を設け、且つ前梯形薄鉄板１４の長手両側の裏面の一方に数枚の左梯形薄鉄板１６を順次接ぎあわせ、且又前梯形薄鉄板１４の長手両側の裏面の他方に数枚の右梯形薄鉄板１７を接ぎあわせると共に後梯形薄鉄板１５の長手両側の表面に左梯形薄鉄板１６と右梯形薄鉄板１７とを接ぎあわせて夫々の折曲突条１３が放射状に表面に表れるようにして上部半円形状体１０を形成したもので上部半円形状体１０の変形阻止と相俟って兜鉢１の美的効果を助長し、更に飾り兜全体の装飾効果も倍増して飾り兜の商品価値を高めるものである。
【００３１】
又、左梯形薄鉄板１６と右梯形薄鉄板１７とは幅を異にしたものを形成して接ぎあわせる左梯形薄鉄板１６と右梯形薄鉄板１７と枚数を変えることによって放射状に表面に表れる折曲突条１３の折曲突条数が異なる上部半円形状体１０を形成することができ、更に兜鉢１には塗料を塗布して着色することと相俟って販売店別に兜鉢１に変化を持たせることができるものである。
【００３２】
又、半円形状の兜鉢１を形成した上部半円形状体１０の裏側部８に金属製の錘体９を取付けたことによって、兜鉢１に重量感を持たせ兜としての威厳を助長すると共に、上部半円形状体１０の裏側部８に金属製の取付けた錘体９はとかした金属を型に流しこんで作つ逆椀状の鋳物体１８で下方周縁に膨出環状部１９を形成したもの、上部半円形状体１０の下端縁１１の内側に金属製の環状体２０を取付けて形成したもの及び上部半円形状体１０の下端縁１１の内側に金属製の数個の分割環状体２１を取付けて形成したもので上部半円形状体１０内での重心が下方に位置した錘体９としたことによって子供が飾り兜を陳列している家庭内の床の間等の近くで跳び撥ねて遊ぶための振動等によつて兜鉢が傾くようなことがなく、安定良く常時正しい方向を向いた状態で陳列することができるもので使用上極めて好都合である。
【００３３】
又、錘体９はとかした金属を型に流しこんで作つ逆椀状の鋳物体１８で下方周縁に膨出環状部１９を形成したものは大量生産に適し工作上面倒でなく、又、上部半円形状体１０の下端縁１１の内側に金属製の環状体２０を取付け形成が容易で安価に工作ができ、又、上部半円形状体１０の下端縁１１の内側に金属製の数個の分割環状体２１を取付けたものは眉庇部２及びしころ部３を取付けた兜鉢１のバランスに応じて数個の分割環状体２１の取付位置を変えて取付けることができるものでバランスの保持を好適とすることができるものである。
【００３４】
又、１枚の薄鉄板を半円形状に加工成形して上部半円形状体１０を形成したものは変化に乏しいが工作のための人件費が節減されて安価に提供できるものである。
【００３５】
以上のようにこの発明は、飾り兜に重量感を持たせ飾り兜としての威厳を助長すると共に、子供が飾り兜を陳列している家庭内の床の間等の近くで跳び撥ねて遊ぶための振動等によつて兜鉢が傾くようなことがなく、安定良く常時正しい方向を向いた状態で陳列することができるものであって、取付け方向が妄りに変化することがなく子供の成長を願う為に家庭内の床の間等に於いて飾るに好適な飾り兜を提供できる等の幾多の産業的作用効果を奏するものである。
【図面の簡単な説明】
【図１】この発明の第１実施例に於ける正面図である。
【図２】この発明の第１実施例に於ける上面図である。
【図３】第１実施例に於ける兜鉢の上面図である。
【図４】第１実施例に於ける前梯形薄鉄板と左梯形薄鉄板と右梯形薄鉄板と後梯形薄鉄板の夫々を示した分解斜視図である。
【図５】第１実施例に於ける前梯形薄鉄板と左梯形薄鉄板と右梯形薄鉄板と後梯形薄鉄板との接ぎあわせ手段を示した断面図である。
【図６】第１実施例に於ける兜鉢と鋳物体との分解斜視図である。
【図７】第１実施例に於ける兜鉢と鋳物体との関係を示した断面図である。
【図８】第１実施例に於ける兜鉢と環状体との分解斜視図である。
【図９】第１実施例に於ける兜鉢と環状体との関係を示した断面図である。
【図１０】第１実施例に於ける兜鉢と分割環状体との分解斜視図である。
【図１１】第１実施例に於ける兜鉢と分割環状体との関係を示した断面図である。
【図１２】兜用芯木の斜視図である。
【図１３】第１実施例に於ける陳列した状態を示した正面図である。
【図１４】第２実施例に於ける兜鉢と鋳物体との関係を示した断面図である。
【図１５】第２実施例に於ける兜鉢と環状体との関係を示した断面図である。
【図１６】第２実施例に於ける兜鉢と分割環状体との関係を示した断面図である。
【図１７】兜鉢に於ける従来例の説明図である。
【符号の説明】
１  兜鉢
２  眉庇部
３  しころ部
４  吹返部
５  鍬形台
６  鍬形
７  忍緒
８  裏側部
９  錘体
１０  上部半円形状体
１１  下端縁
１２  鉢付板体
１３  折曲突条
１４  前梯形薄鉄板
１５  後梯形薄鉄
１６  左梯形薄鉄板
１７  右梯形薄鉄板
１８  鋳物体
１９  膨出環状部
２０  環状体
２１  分割環状体
２２  第１固着部材
２３  第２固着部材
２４  八幡座
２５  八幡座取付孔
２６  星
２７  星取付孔
２８  兜用芯木
２９  櫃
３０  ふくさ布
３１  第３固着部材
３２  第４固着部材
【図１】
2004337470.tif 000003
【図２】
2004337470.tif 000004
【図３】
2004337470.tif 000005
【図４】
2004337470.tif 000006
【図５】
2004337470.tif 000007
【図６】
2004337470.tif 000008
【図７】
2004337470.tif 000009
【図８】
2004337470.tif 000010
【図９】
2004337470.tif 000011
【図１０】
2004337470.tif 000012
【図１１】
2004337470.tif 000013
【図１２】
2004337470.tif 000014
【図１３】
2004337470.tif 000015
【図１４】
2004337470.tif 000016
【図１５】
2004337470.tif 000017
【図１６】
2004337470.tif 000018
【図１７】
2004337470.tif 000019